(57)【要約】【課題】  曲がり管Ｎに関する種々の管が開示されている。また、単一単品の構造を有し、曲がり部には直管部の外径より径が大きくなるような肉盛りが施されていることを特徴としているが、管の内面の断面形状は円形状であるが、管の内面を分割された内面分割管にはなっていない。  そこで、内面分割管としての単一単品の継目無内面多分割構造用曲がり管Ｎを供給することを課題とする。【解決手段】  目的の製造品形状と同じ内部空間を有する金型、ならびに、円筒あるいは角筒状の素管、および、丸棒あるいは矩形棒状の中実な素材、ならびに、ビレットを最初に準備することなく製造される内部に複数の中空部を有する単一単品の継目無内面多分割構造用曲がり管Ｎの構造を解決手段とする。【選択図】図１
2017120115.tif 000002
【特許請求の範囲】
【請求項１】
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する
単一単品の継目無内面多分割構造用曲がり管Ｎの構造。
【請求項２】
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する
単一単品の継目無内面多分割偏肉厚構造用中空部スクロール鋼管の構造。
【請求項３】
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する
単一単品の継目無内面多分割偏肉厚構造用テーパー鋼管の構造。
【請求項４】
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する
単一単品の継目無内面多分割偏肉厚構造用鋼管の構造。
【請求項５】
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する
単一単品の中空構造用鋼板の構造。
【請求項６】
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有し、
中空部は内面に配備された内部隔壁部により中空部をさらに、複数の中空部に分割される単一単品の中空構造用鋼板の構造。
【請求項７】
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有し、
複数の分割中空部軸芯が中空部軸芯を中心としてスクロールする
単一単品の中空構造用鋼板の構造。
【請求項８】
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有し、
鋼板の表裏表面の一方あるいは双方に中空部軸芯と平行な方向に肉盛り部を配備する
単一単品の中空構造用鋼板の構造。
【請求項９】
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有し、
鋼板の表裏表面の一方あるいは双方に中空部軸芯と交差する方向に肉盛り部を配備する
単一単品の中空構造用鋼板の構造。
【請求項１０】
単一単品の継目無内面多分割偏肉厚構造用中空部スクロール鋼管を利用した軸流プロペラの構造。
【請求項１１】
単一単品の中空構造用鋼板を利用した土木用ケーシングおよび橋脚用型枠の構造に関する。また、当該ケーシングを横に配置して、トンネルの内壁あるいはトンネル用のケーシングとする単一単品の中空構造用鋼板の構造。
【請求項１２】
単一単品の中空構造用鋼板を利用した復水器隔壁および加熱炉用隔壁およびＬＮＧ気化装置用隔壁の構造。
【請求項１３】
単一単品の継目無内面多分割偏肉厚構造用鋼管を利用したＣＦＴの構造。
【請求項１４】
単一単品の継目無内面多分割偏肉厚構造用鋼管および単一単品の構造用テーパー鋼管を利用した多層鉄骨造建築物の構造。
【請求項１５】
単一単品の継目無内面多分割構造用テーパー鋼管を利用した電柱および信号柱ならびに照明柱および標識柱の構造。
【発明の詳細な説明】
【技術分野】
【０００１】  目的の製造品形状と同じ内部空間を有する金型、ならびに、
円筒あるいは角筒状の素管、および、丸棒あるいは矩形棒状の中実な素材、ならびに、
ビレットを最初に準備することなく製造され、
内部に複数の中空部を有する単一単品の継目無内面多分割構造用鋼管および中空構造用鋼板の一群に関する。
ここで、単一単品とは、全体が一体に製造される単一単品の構成要素で成り立つ。という趣旨である。  また、継目無内面多分割構造用鋼管とは、継目無鋼管として製造された鋼管において、内面に配備された内部隔壁部により管の内部を複数の中空部に分割された鋼管である。という趣旨である。【０００２】  前記に記載される一群の単一単品の継目無内面多分割構造用鋼材における産業上への利用実施例に関する。【０００３】  特願２０１５−９８２５ならびに特願２０１５−９８２６ならびに特願２０１４−２６７３３５における不備修正および訂正および新規追加を行った再出願に関する。  （特許文献５・特許文献６・特許文献７を参照）【０００４】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の継目無内面多分割構造用曲がり管Ｎの構造に関する。  （図１を参照）
ここで、曲がり管Ｎとは、複数の直管部と複数の曲り部より構成される単一単品の管である。という趣旨である。【０００５】  前記の曲がり管Ｎの定義については、特許文献９の特願２０１４−１７７５０８においてされている。また、上記に記載されている製造条件の記述で、
目的の製造品形状と同じ内部空間を有する金型、ならびに、
円筒あるいは角筒状の素管、および、丸棒あるいは矩形棒状の中実な素材、ならびに、
ビレットを最初に準備することなく製造される。
については、特許文献８の特願２０１４−１１３３９５において詳しく記述されている。【０００６】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の継目無内面多分割偏肉厚構造用中空部スクロール鋼管の構造に関する。    （図４・図６を参照）
ここで、中空部スクロール鋼管とは、管軸方向全長にわたり複数の分割中空部軸芯が管軸芯の周りをスクロールしている鋼管である。という趣旨である。  また、偏肉厚構造用鋼管とは、管軸方向あるいは管軸に直交あるいは交差する断面方向の双方あるいは一方で管体肉厚あるいは内部隔壁肉厚の数値が変わる部分を有する構造用鋼管である。なお、複数個所の部分でも支障はない。という趣旨である。【０００７】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の継目無内面多分割偏肉厚構造用テーパー鋼管の構造に関する。    （図８・図１０・図１２を参照）
ここで、構造用テーパー鋼管とは、曲げ応力ならびに剪断応力ならびに座屈応力等の各種構造物あるいは各種建築物および機械類に所望される耐応力のための外径寸法ならびに管の各部肉厚を管軸方向全長にわたり増加する形状の管である。という趣旨である。  また、分割中空部軸芯と管軸芯が平行あるいは角度を有する場合がある。【０００８】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の継目無内面多分割偏肉厚構造用鋼管の構造に関する。  （図４・図６・図１２・図１５・図１７・図１９・図２１・図４５を参照）【０００９】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の中空構造用鋼板の構造に関する。  （図２３・図２５を参照）
ここで、中空構造用鋼板とは、肉厚な構造用鋼板の内部全長を貫通する複数の中空部を有する単一単品の構造鋼板である。という趣旨である。【００１０】  また、中空部は内面に配備された内部隔壁部により中空部をさらに、複数の中空部に分割される単一単品の中空構造用鋼板の構造に関する。なおかつ、複数の中空部は中空部軸芯を中心としてスクロールする単一単品の中空構造用鋼板の構造に関する。そのうえ、鋼板の表裏表面の一方あるいは双方に中空部軸芯と平行な方向に肉盛り部を配備する単一単品の中空構造用鋼板の構造に関する。また、中空部軸芯と交差する方向に肉盛り部を配備する単一単品の中空構造用鋼板の構造に関する。  （図２７・図２９・図３１を参照）【００１１】  単一単品の継目無内面多分割偏肉厚構造用中空部スクロール鋼管を利用した軸流プロペラの構造に関する。なお、複数の分割中空部軸芯は管軸芯を中心としてスクロールする場合。
（図３４を参照）【００１２】  単一単品の中空構造用鋼板を利用した土木用ケーシングおよび橋脚用型枠の構造に関する。また、当該ケーシングを横に配置して、トンネルの内壁あるいはトンネル用のケーシングとする単一単品の中空構造用鋼板の構造に関する。  （図３６・図３９を参照）【００１３】  単一単品の中空構造用鋼板を利用した復水器隔壁および加熱炉用隔壁およびＬＮＧ気化装置用隔壁の構造に関する。  （図４１・図４２・図４３・図４４を参照）【００１４】  単一単品の継目無内面多分割偏肉厚構造用鋼管を利用したＣＦＴの構造に関する。
（図４５・図４６を参照）【００１５】  単一単品の継目無内面多分割偏肉厚構造用鋼管および単一単品の構造用テーパー鋼管を利用した多層鉄骨造建築物の構造に関する。  （図４７・図４８を参照）【００１６】  単一単品の継目無内面多分割構造用テーパー鋼管を利用した電柱および信号柱ならびに照明柱および標識柱の構造に関する。  （図４９・図５０・図５１・図５２を参照）【００１７】  ここで、内部隔壁部とは、管内部を複数の中空部に分割する外管部と連続されている壁である。  また、外管部とは、管の外表面より内部中空部に至る管体の肉厚のある部分である。  また、管体肉厚とは、外管部の肉厚である。  また、内部隔壁肉厚とは、内部隔壁部の肉厚である。  また、ＣＦＴとは、コンクリート充填鋼管構造である。
【背景技術】
【００１８】  単一単品の種々の曲がり管Ｎについては、特願２０１４−９８８６に開示されている。しかしながら、管の内面を分割された内面分割管は記載されていない。【００１９】  機械構造用鋼管として適用される、管全長にわたり同一断面を有する円筒状の外管の内部に少なくとも２本の内管を備える内面分割管およびその製造法が、特開２００７−２４５１６３号公報において開示されている。【００２０】  中空部を有する所定の肉厚の成形板に形成した中空樹脂成形板については、特開２００１−２８８７５９号公報において開示されている。【００２１】  鋳型には、溶融型を用いた鋳鋼成形により成形された柱・梁接合部材については、特開平８−１３５０１４号公報において開示されている。
【先行技術文献】
【特許文献】
【００２２】
【特許文献１】特願２０１４−９８８６
【特許文献２】特開２００７−２４５１６３号公報
【特許文献３】特開２００１−２８８７５９号公報
【特許文献４】特開平８−１３５０１４号公報
【特許文献５】特願２０１４−２６７３３５
【特許文献６】特願２０１５−９８２５
【特許文献７】特願２０１５−９８２６
【特許文献８】特願２０１４−１１３３９５
【特許文献９】特願２０１４−１７７５０８
【発明の概要】
【発明が解決しようとする課題】
【００２３】  特許文献１には、曲がり管Ｎに関する種々の管が開示されている。また、単一単品の構造を有し、曲がり部には直管部の外径より径が大きくなるような肉盛りが施されていることを特徴としているが、管の内面の断面形状は円形状であるが、管の内面を分割された内面分割管にはなっていない。  そこで、内面分割管としての単一単品の継目無内面多分割構造用曲がり管Ｎを供給することを課題とする。【００２４】  特許文献２には、機械構造用鋼管として適用される、管全長にわたり同一断面を有する円筒状の外管の内部に少なくとも２本の内管を備える内面分割管およびその製造法が開示されている。しかしながら、外管と内管を備えた物であり、単一単品の構造にはなっていない。  そこで、単一単品の継目無内面多分割構造として一体成形された機械構造用鋼管を供給することを課題とする。【００２５】  特許文献３には、中空部を有する所定の肉厚の成形板に形成した中空樹脂成形板について開示されている。しかしながら、同様な形状を有する成形板において、材質が構造用に適する鋼板のものは、特に長尺な中空部を製造することは容易ではない。そこで、次の方法を用いて容易に製造できる手段を講じた製造法を使用する。
目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の中空構造用鋼板を供給することを課題とする。【００２６】  また、特許文献３の中空樹脂成形板においては、外形寸法は押出し成形のために押出し方向と直交する断面形状は常に一定の形状である。また、中空部においても同様である。
そこで、中空部軸芯と交差する方向に肉盛り部を配備する単一単品の中空構造用鋼板を供給することを課題とする。なお、肉盛り部は、複数個所であっても支障はない。【００２７】  また、押出し成形のため、全長において断面形状は同一になる。  そこで、中空部は内面に配備された内部隔壁部により中空部をさらに、複数の中空部に分割された複数の分割中空部軸芯が、中空部軸芯を中心としてスクロールする単一単品の中空構造用鋼板を供給することを課題とする。【００２８】  また、押出し成形において、湾曲した中空成形板の製造では、中空部軸心と直交する断面が湾曲した形状のみである。  そこで、中空部軸芯と平行な断面が湾曲した単一単品の中空構造用鋼板を供給することを課題とする。【００２９】  特許文献４において、鋳型には、溶融型を用いた鋳鋼成形により成形された柱・梁接合部材について開示されている。  そこで、目的の製造品形状と同じ内部空間を有する金型を最初に準備することなく製造する手段を講じて製造される内部に複数の中空部を有する単一単品の継目無内面多分割構造用鋼材および中空構造用鋼板を供給することを課題とする。
【課題を解決するための手段】
【００３０】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の継目無内面多分割構造用曲がり管Ｎの構造を解決手段とする。  （図１を参照）【００３１】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の継目無内面多分割偏肉厚構造用中空部スクロール鋼管の構造を解決手段とする。  （図４・図６を参照）【００３２】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の継目無内面多分割偏肉厚構造用テーパー鋼管の構造を解決手段とする。  （図８・図１０・図１２を参照）【００３３】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の継目無内面多分割偏肉厚構造用鋼管の構造を解決手段とする。  （図４・図６・図１２・図１５・図１７・図１９・図２１・図４５を参照）【００３４】  目的の製造品形状と同じ内部空間を有する金型、ならびに、
円筒あるいは角筒状の素管、および、丸棒あるいは矩形棒状の中実な素材、ならびに、
ビレットを最初に準備することなく製造される内部に複数の中空部を有する単一単品の中空構造用鋼板の構造を解決手段とする。  （図２３・図２５を参照）【００３５】  また、中空部は内面に配備された内部隔壁部により中空部をさらに、複数の中空部に分割される単一単品の中空構造用鋼板の構造を解決手段とする。【００３６】  かつ、複数の分割中空部軸芯は中空部軸芯を中心としてスクロールする単一単品の中空構造用鋼板の構造を解決手段とする。（図２７・図２９を参照）【００３７】  そのうえ、鋼板の表裏表面の一方あるいは双方に中空部軸芯と平行な方向に肉盛り部を配備する単一単品の中空構造用鋼板の構造を解決手段とする。  （図２９を参照）【００３８】  また、中空部軸芯と交差する方向に肉盛り部を配備する単一単品の中空構造用鋼板の構造を解決手段とする。  （図３１を参照）
【発明の効果】
【００３９】    したがって、特許文献１の課題は、内面分割管としての単一単品の継目無内面多分割構造用曲がり管Ｎを供給することが可能になった。それにともない、一本の管路を同時に複数の流体や粉体や気体を輸送できる効果も現れた。【００４０】  なおかつ、高温あるいは低温の曲がり管Ｎの外部雰囲気を、冷却あるいは加熱する目的で内部に流れる冷却流体ならびに加熱流体との間での熱交換を助長させる伝熱フィンのような役目を内部隔壁部が果たす効果も現れた。【００４１】  さらに、高温あるいは低温の曲がり管Ｎの外部雰囲気が、一本の管路を同時に流れる複数の流体や粉体や気体を加熱あるいは冷却する熱交換を助長させる伝熱フィンのような役目を内部隔壁部が果たす効果も現れた。【００４２】  したがって、特許文献２の課題は、単一単品の継目無内面多分割偏肉厚構造用鋼管として一体成形された機械構造用鋼管を供給することが可能となった。それにともない、外管および内管の冷間引き抜き回数も激減した。【００４３】  また、内管および外管とのシール性についての問題も一体成形されているのでなくなった。ならびに、一体成形される単一単品の継目無内面多分割偏肉厚構造用鋼管なので部品点数も激減させ、僅かに一点のみとなった。【００４４】  さらに、特許文献２の図５において、ロッカシャフトとして使用する場合に、当該図面中のカム６を本発明の図１９および図２１の肉盛り部を切削や研磨などの機械加工をすることによりカムまで一体に成形できる可能性も現れている。【００４５】  また、シャフトのみとして使用する場合には、本発明の図１９および図２１の肉盛り部を切削削除しても良い。あるいは、肉盛り部を有さない円筒状の単一単品の継目無内面多分割偏肉厚構造用鋼管を利用することに何の支障もない。【００４６】  したがって、特許文献３の課題は、長尺な内部に複数の中空部を有する単一単品の中空構造用鋼板を供給することが可能となった。【００４７】  また、特許文献３の課題は、中空部軸芯と交差する方向に肉盛り部を配備する単一単品の中空構造用鋼板を供給することが可能となった。なお、肉盛り部は、複数個所であっても支障はない。【００４８】  また、特許文献３の課題は、中空部は内面に配備された内部隔壁部により中空部をさらに、複数の中空部に分割された複数の分割中空部軸芯は、中空部軸芯を中心としてスクロールする単一単品の中空構造用鋼板を供給することが可能となった。【００４９】  また、特許文献３の課題は、中空部軸芯と平行な断面が湾曲した単一単品の中空構造用鋼板を供給することが可能となった。【００５０】  したがって、特許文献４の課題は、目的の製造品形状と同じ内部空間を有する金型を最初に準備することなく製造する手段を講じて製造される内部に複数の中空部を有する単一単品の継目無内面多分割構造用鋼材を供給することが可能となった。【００５１】  したがって、特許文献４の課題は、目的の製造品形状と同じ内部空間を有する金型を最初に準備することなく製造する手段を講じて製造される内部に複数の中空部を有する単一単品の中空構造用鋼板を供給することが可能となった。
【図面の簡単な説明】
【００５２】
【図１】図１は単一単品の継目無内面多分割構造用曲がり管Ｎの斜視図である。
【図２】図２は内面多分割の代表的な断面の説明図である。
【図３】図３は単一単品の構造用中空鋼板の代表的な断面図である。なお、中空部軸芯に直交する断面である。
【図４】図４は単一単品の継目無内面多分割偏肉厚構造用中空部スクロール鋼管の説明図である。肉盛り部断面が偏っている場合。
【図５】図５は図４の各部断面図である。
【図６】図６は単一単品の継目無内面多分割偏肉厚構造用中空部スクロール鋼管の説明図である。肉盛り部断面が偏っていない場合。
【図７】図７は図６の各部断面図である。
【図８】図８は単一単品の継目無内面多分割偏肉厚構造用テーパー鋼管の説明図である。分割中空部軸芯と管軸芯が角度α１を有する場合。
【図９】図９は図８の各部断面図である。
【図１０】図１０は単一単品の継目無内面多分割偏肉厚構造用テーパー鋼管の説明図である。分割中空部軸芯と管軸芯が平行の場合。
【図１１】図１１は図１０の各部断面図である。
【図１２】図１２は単一単品の継目無内面多分割偏肉厚構造用テーパー鋼管の説明図である。分割中空部軸芯と管軸芯が角度α２を有する場合。なお肉盛り部を有する。
【図１３】図１３は図１２の軸心方向の断面図である。
【図１４】図１４は図１２の各部断面図である。
【図１５】図１５は単一単品の継目無内面多分割偏肉厚構造用鋼管の説明図である。肉盛り部が複数の場合。
【図１６】図１６は図１５の各部断面図である。
【図１７】図１７は単一単品の継目無内面多分割偏肉厚構造用鋼管の説明図である。肉盛り部が１個の場合。
【図１８】図１８は図１７の各部断面図である。
【図１９】図１９は単一単品の継目無内面多分割偏肉厚構造用鋼管の説明図である。肉盛り部は偏っている場合。
【図２０】図２０は図１９の各部断面図である。
【図２１】図２１は単一単品の継目無内面多分割偏肉厚構造用鋼管の説明図である。肉盛り部は偏っていない場合。
【図２２】図２２は図２１の各部断面図である。
【図２３】図２３は単一単品の中空構造用鋼板の説明図である。中空部軸芯と平行な断面が湾曲した単一単品の中空構造用鋼板の場合。
【図２４】図２４は図２３の各部断面図である。
【図２５】図２５は単一単品の中空構造用鋼板の説明図である。
【図２６】図２６は図２５の各部断面図である。
【図２７】図２７は単一単品の中空構造用鋼板の説明図である。中空部は内面に配備された内部隔壁部により中空部をさらに、複数の中空部に分割される場合。なおかつ、複数の分割中空部軸芯は中空部軸芯を中心としてスクロールする場合。
【図２８】図２８は図２７の各部断面図である。
【図２９】図２９は単一単品の中空構造用鋼板の説明図である。中空部は内面に配備された内部隔壁部により中空部をさらに、複数の中空部に分割される場合。なおかつ、複数の分割中空部軸芯は中空部軸芯を中心としてスクロールする場合。さらに、鋼板の表裏表面の一方あるいは双方に中空部軸芯と平行な方向に肉盛り部を配備する場合。
【図３０】図３０は図２９の各部断面図である。
【図３１】図３１は単一単品の中空構造用鋼板の説明図である。中空部は内面に配備された内部隔壁部により中空部をさらに、複数の中空部に分割される場合。さらに、鋼板の表裏表面の一方あるいは双方に中空部軸芯と交差する方向に肉盛り部を配備する場合。
【図３２】図３２は図３１の各部断面図である。
【図３３】図３３は図３１の各部断面図である。
【図３４】図３４は単一単品の継目無内面多分割偏肉厚構造用中空部スクロール鋼管を利用した軸流プロペラの説明図である。なお、複数の分割中空部軸心は管軸芯を中心としてスクロールする場合。
【図３５】図３５は図３４の各部断面図である。
【図３６】図３６は単一単品の中空構造用鋼板を利用した土木用ケーシングおよび橋脚用型枠の説明図である。
【図３７】図３７は図３６の各部断面図およびその説明図である。
【図３８】図３８は図３６の各部断面図である。
【図３９】図３９は単一単品の中空構造用鋼板を利用した土木用ケーシングおよび橋脚用型枠の説明図である。大規模の場合。
【図４０】図４０は図３９の各部断面図である。
【図４１】図４１は単一単品の中空構造用鋼板を利用した復水器隔壁および加熱炉用隔壁およびＬＮＧ気化装置用隔壁の斜視図である。図２５を隔壁に使用する場合。
【図４２】図４２は単一単品の中空構造用鋼板を利用した復水器隔壁および加熱炉用隔壁およびＬＮＧ気化装置用隔壁の全体説明図である。図２５を隔壁に使用する場合。
【図４３】図４３は単一単品の中空構造用鋼板を利用した復水器隔壁および加熱炉用隔壁およびＬＮＧ気化装置用隔壁の斜視図である。図３１を隔壁に使用する場合。
【図４４】図４４は単一単品の中空構造用鋼板を利用した復水器隔壁および加熱炉用隔壁およびＬＮＧ気化装置用隔壁の全体説明図である。図３１を隔壁に使用する場合。
【図４５】図４５は単一単品の継目無内面多分割偏肉厚構造用鋼管の斜視図である。図１５の場合を図示している。
【図４６】図４６は単一単品の継目無内面多分割偏肉厚構造用鋼管を利用したＣＦＴの構造の斜視図である。図４５をＣＦＴ用の柱に利用した場合。
【図４７】図４７は単一単品の継目無内面多分割偏肉厚構造用鋼管を利用した多層鉄骨造建築物の斜視図である。図１５および図１７を利用した場合。
【図４８】図４８は単一単品の継目無内面多分割偏肉厚構造用テーパー鋼管を利用した多層鉄骨造建築物の構造の斜視図である。図１２を利用した場合。
【図４９】図４９は単一単品の継目無内面多分割偏肉厚構造用テーパー鋼管を利用した信号柱ならびに標識柱の斜視図である。
【図５０】図５０は単一単品の継目無内面多分割偏肉厚構造用テーパー鋼管を利用した信号柱ならびに標識柱の斜視図である。分割した場合。
【図５１】図５１は単一単品の継目無内面多分割偏肉厚構造用テーパー鋼管を利用した信号柱ならびに標識柱の斜視図である。分割しない場合。
【図５２】図５２は単一単品の継目無内面多分割偏肉厚構造用テーパー鋼管を利用した電柱の斜視図である。
【発明を実施するための形態】
【００５３】    図１は単一単品図であり、本発明の単一単品の継目無内面多分割構造用曲がり管Ｎの斜視図である。それぞれの図において、（ア）はＮ＝１，（イ）はＮ＝４、（ウ）はＮ＝６の場合の曲がり管Ｎの斜視図を図示している。この単一単品の継目無内面多分割構造用曲がり管Ｎは、目的の製造品形状と同じ内部空間を有する金型、ならびに、円筒あるいは角筒状の素管、および、丸棒あるいは矩形棒状の中実な素材、ならびに、ビレットを最初に準備することなく製造される内部に複数の中空部を有する単一単品の継目無内面多分割構造用曲がり管Ｎの構造をしている。
【００５４】  １は単一単品の継目無内面多分割構造用曲がり管Ｎの鋼管である。この鋼管の内面は、円形状の内面を２分割した中空部５０の形状をしている。（図２を参照）  また、図示以外に図２の（ク）に示されている円形状の内面を４分割した中空部５１であってもよい。他の複数に分割されても支障はない。
【００５５】    以上が、単一単品の継目無内面多分割構造用曲がり管Ｎの鋼管１の構造である。曲がり管Ｎについての定義および製造条件の詳しい説明は、特許文献８および特許文献９を参照してください。曲がり管Ｎの各種形状については、特許文献１の特願２０１４−９８８６を参照下さい。
【００５６】  図２は内面多分割の代表的な断面の説明図である。２は内部隔壁部である。内部隔壁部２は鋼管の管体と一体に形成されて管の内面を分割する隔壁である。代表的な断面を次に説明する。（オ）は矩形断面を２分割した断面である。ここで５３は矩形状の内面を２分割した中空部を示している。（カ）は円形断面を２分割した断面である。ここで５０は円形状の内面を２分割した中空部を示している。（キ）は、矩形断面を４分割した断面である。ここで５２は矩形状の内面を４分割した中空部を示している。（ク）は円形断面を４分割した断面である。ここで５１は円形状の内面を４分割した中空部を示している。
【００５７】  同様に、（ケ）は楕円形状あるいは長円形状を２分割した断面を示している。（コ）は前記（ケ）の内部隔壁部２の方向が異なる場合を示している。（サ）は長方形状であり、（シ）は楕円形状あるいは長円形状を４分割した断面を示している。
【００５８】  図３は単一単品の構造用中空鋼板の代表的な断面図である。なお、中空部軸芯に直交する断面である。（ス）は複数の円形状の中空部を有する湾曲断面（９０度）をした単一単品の構造用中空鋼板３の内部に構造用中空鋼板の円形状の中空部５５を配備している。（セ）は複数の矩形状の中空部を有する湾曲断面（４５度）をした単一単品の構造用中空鋼板４の内部に構造用中空鋼板の矩形状の中空部５４を配備している。
【００５９】  （ソ）は複数の円形状の中空部を有する矩形断面をした単一単品の構造用中空鋼板５の内部に構造用中空鋼板の円形状の中空部５５を配備している。（タ）は複数の矩形状の中空部を有する矩形断面をした単一単品の構造用中空鋼板６の内部に矩形状の中空部５４を配備している。
【００６０】  図４は、単一単品の継目無内面多分割偏肉厚構造用中空部スクロール鋼管の説明図である。１０は単一単品の継目無内面多分割偏肉厚構造用中空部スクロール鋼管で１５０の肉盛り部断面が上方に偏っている場合を示している。その偏りは、肉盛り厚Ｔ１が肉盛り厚Ｔ２より厚くなっていることより明瞭である。単一単品の継目無内面多分割偏肉厚構造用中空部スクロール鋼管１０の内面には円形状の内面を４分割した中空部５１を配備している。その中空部５１を代表して、分割中空部軸芯１０１と分割中空部軸芯１０２を図示している。分割中空部軸芯１０１と分割中空部軸芯１０２は、単一単品の継目無内面多分割偏肉厚構造用中空部スクロール鋼管１０の管軸を中心にしてスクロールしている。
【００６１】  図５は図４の各部断面図である。前記のスクロールの状態を断面図に示した。ａ−ａ断面の下方に目印の固定のドットマークを付してある。単一単品の継目無内面多分割偏肉厚構造用中空部スクロール鋼管１０の左端のａ−ａ切断面より全長方向に右に進むと１５０の肉盛り部頂上付近でｂ−ｂ切断面に到達する。この時点で分割中空部軸芯１０１と分割中空部軸芯１０２は、単一単品の継目無内面多分割偏肉厚構造用中空部スクロール鋼管１０の管軸を中心にしてほぼ４５度反時計周りにスクロールしている。ドットマークの位置より判読できる。
【００６２】  さらに全長方向を右に進むと単一単品の継目無内面多分割偏肉厚構造用中空部スクロール鋼管１０の右端のｃ−ｃ切断面に到達する。この時点で分割中空部軸芯１０１と分割中空部軸芯１０２は、単一単品の継目無内面多分割偏肉厚構造用中空部スクロール鋼管１０の管軸を中心にして、さらにほぼ４５度反時計周りにスクロールしている。ドットマークの位置より判読できる。全長を進むうちに左端より右端までに分割中空部軸芯１０１と分割中空部軸芯１０２は、単一単品の継目無内面多分割偏肉厚構造用中空部スクロール鋼管１０の管軸を中心にしてほぼ９０度反時計周りにスクロールしている事になる。このスクロールは滑らかに連続して進行している。
【００６３】  図６は、単一単品の継目無内面多分割偏肉厚構造用中空部スクロール鋼管の説明図である。１１は単一単品の継目無内面多分割偏肉厚構造用中空部スクロール鋼管で１５１の肉盛り部断面が上方に偏っていない場合を示している。単一単品の継目無内面多分割偏肉厚構造用中空部スクロール鋼管１０の内面には円形状の内面を４分割した中空部５１を配備している。その中空部５１を代表して、分割中空部軸芯１０３と分割中空部軸芯１０４を図示している。分割中空部軸芯１０３と分割中空部軸芯１０４は、単一単品の継目無内面多分割偏肉厚構造用中空部スクロール鋼管１１の管軸を中心にしてスクロールしている。
【００６４】  図７は図６の各部断面図である。前記のスクロールの状態を断面図に示した。ｄ−ｄ断面の下方に目印の固定のドットマークを付してある。単一単品の継目無内面多分割偏肉厚構造用中空部スクロール鋼管１０の左端のｄ−ｄ切断面より全長方向に右に進むと１５１の肉盛り部頂上付近でｅ−ｅ切断面に到達する。この時点で分割中空部軸芯１０３と分割中空部軸芯１０４は、単一単品の継目無内面多分割偏肉厚構造用中空部スクロール鋼管１１の管軸を中心にしてほぼ４５度反時計周りにスクロールしている。ドットマークの位置より判読できる。
【００６５】  さらに全長方向を右に進むと単一単品の継目無内面多分割偏肉厚構造用中空部スクロール鋼管１１の右端のｆ−ｆ切断面に到達する。この時点で分割中空部軸芯１０３と分割中空部軸芯１０４は、単一単品の継目無内面多分割偏肉厚構造用中空部スクロール鋼管１１の管軸を中心にして、さらにほぼ４５度反時計周りにスクロールしている。ドットマークの位置より判読できる。全長を進むうちに左端より右端までに分割中空部軸芯１０３と分割中空部軸芯１０４は、単一単品の継目無内面多分割偏肉厚構造用中空部スクロール鋼管１１の管軸を中心にしてほぼ９０度反時計周りにスクロールしている事になる。このスクロールは滑らかに連続して進行している。
【００６６】  以上が、単一単品の継目無内面多分割偏肉厚構造用中空部スクロール鋼管１０および１１の構造である。
【００６７】  図８は単一単品の継目無内面多分割偏肉厚構造用テーパー鋼管の説明図である。分割中空部軸芯と管軸芯が角度α１を有する場合である。１２は単一単品の継目無内面多分割偏肉厚構造用テーパー鋼管である。中空部は円形状の内面を４分割した中空部５１の形状をなしている。左端を小径側とし右端を大径側とする。管軸芯と分割中空部軸芯１０５は、傾き角度α１を有している。
【００６８】  単一単品の継目無内面多分割偏肉厚構造用テーパー鋼管１２は、小径側外径Ｄ１より緩やかに大径側外径Ｄ２まで大きくなっている。小径側の管体肉厚Ｔ３は大口径側の管体肉厚Ｔ５まで徐々に厚くなっている。また、小径側の内部隔壁肉厚Ｔ４は大口径側の内部隔壁肉厚Ｔ６まで徐々に厚くなっている。
【００６９】  図９は図８の各部断面図である。
【００７０】  また、分割中空部軸芯１０５は、傾き角度α１を維持しつつ管軸芯を中心に周囲をスクロールしても支障はない。さらに、単一単品の継目無内面多分割偏肉厚構造用テーパー鋼管１２の表面に１５０あるいは１５１のような肉盛り部を複数配備してもよい。
【００７１】  図１０は単一単品の継目無内面多分割偏肉厚構造用テーパー鋼管の説明図である。中空部軸芯と管軸芯が平行の場合である。１３は単一単品の継目無内面多分割偏肉厚構造用テーパー鋼管である。中空部は円形状の内面を４分割した中空部５１の形状をなしている。左端を小径側とし右端を大径側とする。管軸芯と分割中空部軸芯は、平行になっている。
【００７２】  単一単品の継目無内面多分割偏肉厚構造用テーパー鋼管１３は、小径側外径Ｄ３より徐々に大径側外径Ｄ４まで大きくなっている。小径側の管体肉厚は大口径側の管体肉厚まで徐々に厚くなっている。また、小径側の内部隔壁肉厚Ｔ７は大口径側の内部隔壁肉厚Ｔ７まで均一な厚さになっている。
【００７３】  図１１は図１０の各部断面図である。
【００７４】  さらに、単一単品の継目無内面多分割偏肉厚構造用テーパー鋼管１３の表面に１５０あるいは１５１のような肉盛り部を複数配備してもよい。
【００７５】  図１２は単一単品の継目無内面多分割偏肉厚構造用テーパー鋼管の説明図である。分割中空部軸芯と管軸芯が角度α２を有し、肉盛り部を有する場合である。１５は単一単品の継目無内面多分割偏肉厚構造用テーパー鋼管である。中空部は円形状の内面を４分割した中空部５１の形状をなしている。中空部５２などの他の中空部形状であってもよい。左端を小径側とし右端を大径側とする。管軸芯と分割中空部軸芯は、傾き角度α２を有している。
【００７６】  単一単品の継目無内面多分割偏肉厚構造用テーパー鋼管１５は、小径側外径Ｄ５より緩やかに大径側外径Ｄ６まで大きくなっている。小径側の管体肉厚Ｔ８は大口径側の管体肉厚Ｔ９まで徐々に厚くなっている。また、小径側の内部隔壁肉厚は大口径側の内部隔壁肉厚まで徐々に厚くなっている。さらに、肉盛り部１５２を有している。この肉盛り部は複数あっても支障はない。
【００７７】  図１３は図１２の軸心方向の断面図である。また、図１４は図１２の各部断面図である。
【００７８】  以上が、単一単品の継目無内面多分割偏肉厚構造用テーパー鋼管の構造である。
【００７９】  図１５は単一単品の継目無内面多分割偏肉厚構造用鋼管の説明図である。肉盛り部が複数の場合である。１７は単一単品の継目無内面多分割偏肉厚構造用鋼管である。単一単品の継目無内面多分割偏肉厚構造用鋼管１７は矩形状の内面を４分割した中空部５２を有している。左右の両端側に肉盛り部１５３を配備している。図１６は図１５の各部断面図である。
【００８０】  図１７は単一単品の継目無内面多分割偏肉厚構造用鋼管の説明図である。肉盛り部が１個の場合である。１８は単一単品の継目無内面多分割偏肉厚構造用鋼管である。単一単品の継目無内面多分割偏肉厚構造用鋼管１８は矩形状の内面を４分割した中空部５２を有している。右端側に肉盛り部１５４を配備している。図１８は図１７の各部断面図である。
【００８１】  図１９は単一単品の継目無内面多分割偏肉厚構造用鋼管の説明図である。肉盛り部１５５は偏っている場合を図示している。１９は単一単品の継目無内面多分割偏肉厚構造用鋼管である。単一単品の継目無内面多分割偏肉厚構造用鋼管１９は円形状の内面を４分割した中空部５１を有している。肉盛り部は複数あってもよい。また、中空部５１をスクロールさせると、図４における単一単品の継目無内面多分割偏肉厚構造用中空部スクロール鋼管１０になる。また、肉盛り部１５５は偏っている特徴を利用して、単一単品の継目無内面多分割偏肉厚構造用鋼管１９を冷間あるいは熱間による曲げ加工する素管とすることもできる。つまり、肉盛り部１５５の頂点付近を曲げ加工をする点にして、図１９の左右両端を下方に折り曲げる。曲り部の肉厚は、曲げの内側と外側で肉厚が違うので曲げ加工しても外側の肉厚が内側と同等な厚みを確保した曲げ加工が出来る。肉盛り部は複数あっても使用は無いので、その箇所毎に偏る向きを変え得るので、色々な曲げ加工に対応した素管となる効果もある。  図２０は図１９の各部断面図である。
【００８２】  図２１は単一単品の継目無内面多分割偏肉厚構造用鋼管の説明図である。肉盛り部１５６は偏っていない場合を示している。２０は単一単品の継目無内面多分割偏肉厚構造用鋼管である。単一単品の継目無内面多分割偏肉厚構造用鋼管２０は円形状の内面を４分割した中空部５１を有している。肉盛り部は複数あってもよい。また、中空部５１をスクロールさせると、図６における単一単品の継目無内面多分割偏肉厚構造用中空部スクロール鋼管１１になる。図２２は図２１の各部断面図である。
【００８３】  以上が、単一単品の継目無内面多分割偏肉厚構造用鋼管の構造である。
【００８４】  図２３は単一単品の中空構造用鋼板の説明図である。中空部軸芯と平行な断面が湾曲した単一単品の中空構造用鋼板の場合を示している。２００は単一単品の中空構造用鋼板である。単一単品の中空構造用鋼板２００は、構造用中空鋼板の円形状の中空部５５を有している。中空部は複数である。また、中空部軸芯と平行な断面が湾曲し、その中空鋼板の湾曲角度はα５となっている。図では、ほぼ９０度であるがその他の角度であっても支障はない。図２４は図２３の各部断面図である。
【００８５】  図２５は単一単品の中空構造用鋼板の説明図である。２０１は単一単品の中空構造用鋼板で平板の場合を示している。単一単品の中空構造用鋼板２０１は構造用中空鋼板の円形状の中空部５５を有している。中空部は複数である。図２６は図２５の各部断面図である。
【００８６】  図２７は単一単品の中空構造用鋼板の説明図である。中空部は内面に配備された内部隔壁部により中空部をさらに、複数の中空部に分割される場合を示している。なおかつ、複数の分割中空部軸芯は中空部軸芯を中心としてスクロールする場合を示している。２０２は単一単品の中空構造用鋼板である。単一単品の中空構造用鋼板２０２は円形状の内面を４分割した中空部５１を複数有している。中空鋼板の分割中空部軸芯１２０は中空部軸芯を中心としてスクロールしている。図２８は図２７の各部断面図である。
【００８７】  図２９は単一単品の中空構造用鋼板の説明図である。中空部は内面に配備された内部隔壁部により中空部をさらに、複数の中空部に分割される場合を示している。なおかつ、複数の分割中空部軸芯は中空部軸芯を中心としてスクロールする場合を示している。さらに、鋼板の表裏表面の一方あるいは双方に中空部軸芯と平行な方向に肉盛り部３００を配備する場合を示している。２０３は単一単品の中空構造用鋼板である。単一単品の中空構造用鋼板２０３は円形状の内面を４分割した中空部５１を複数有している。中空鋼板の分割中空部軸芯１２１は中空部軸芯を中心としてスクロールしている。図３０は図２９の各部断面図である。
【００８８】  図３１は単一単品の中空構造用鋼板の説明図である。中空部は内面に配備された内部隔壁部により中空部をさらに、複数の中空部に分割される場合を示している。さらに、鋼板の表裏表面の一方あるいは双方に中空部軸芯と交差する方向に肉盛り部３０１を配備する場合を示している。２０４は単一単品の中空構造用鋼板である。単一単品の中空構造用鋼板２０４は円形状の内面を２分割した中空部５０を複数有している。図３２は図３１の各部断面図である。同様に図３３は図３１の各部断面図である。
【００８９】  なお、鋼板の肉厚で表側鋼板肉厚Ｔ１０と裏側側鋼板肉厚Ｔ１１は、ここまで同一であった。しかしながら、鋼板の肉厚は表裏で異なっても何の支障はない。
【００９０】  以上が、単一単品の中空構造用鋼板の構造である。
【００９１】  図３４は単一単品の継目無内面多分割偏肉厚構造用中空部スクロール鋼管を利用した軸流プロペラの説明図である。なお、複数の分割中空部軸心は管軸芯を中心としてスクロールする場合を示している。３０は軸流プロペラの本体である。４０１は軸受取付け部であり、本体の両端側に配備されている。４０２は駆動歯車部である。ここで、単一単品の継目無内面多分割偏肉厚構造用中空部スクロール鋼管の肉盛り部が、４０１の部分および４０２のそれぞれの部分にあった鋼管を利用して、その肉盛り部をそれぞれ所望の形状に機械加工して４０１および４０２は成形されている。他の成形として、個別に製作して鋼管に嵌め込んで製作しても支障はない。
【００９２】  軸流プロペラの本体３０は、図６の単一単品の継目無内面多分割偏肉厚構造用中空部スクロール鋼管１１の肉盛り部が３個所配備されている鋼管を素管１１とする。素管１１は単一単品の継目無内面多分割偏肉厚構造用中空部スクロール鋼管である。単一単品の継目無内面多分割偏肉厚構造用中空部スクロール鋼管の内面には円形状の内面を４分割した中空部５１を配備している。その中空部５１を代表して、分割中空部軸芯１２２と分割中空部軸芯１２３を図示している。分割中空部軸芯１２２と分割中空部軸芯１２３は、素管１１の管軸を中心にしてスクロールしている。図３５は図３４の各部断面図である。
【００９３】  軸受取付け部４０１は両端に配備され、取り付けられた軸受により軸流プロペラの本体３０を支持する。また、中空部５１の内部隔壁部がスクロールした曲面を有しているので通過する流体より回転力を得ることができる。この回転力を動力源として駆動歯車部４０２にて接続された装置に伝える。発電装置を接続すれば流体の流れより電力を得ることができる。
【００９４】  また、逆の利用法として駆動モーターで駆動歯車部４０２を運転すると、軸流プロペラの本体３０が回転して、本体内部の液体や気体や粉体を押出す。要するにポンプや軸流のスクリュウとなる。
【００９５】  以上が、単一単品の継目無内面多分割偏肉厚構造用中空部スクロール鋼管を利用した軸流プロペラの構造である。
【００９６】  図３６は単一単品の中空構造用鋼板を利用した土木用ケーシングおよび橋脚用型枠の説明図である。図３（ス）の断面を有する複数の円形状の中空部を有する湾曲断面（９０度）をした単一単品の構造用中空鋼板３を組合せて、鋼板長さＬ１と鋼板長さＬ２と鋼板長さＬ３と積み上げた。５００は底板である。図３８は図３６の各部断面図である。また、図３７は図３６の各部断面図およびその説明図である。
【００９７】  単一単品の構造用中空鋼板３の構造用中空鋼板の円形状の中空部５５の上下方向で必要な所に、内面側に排水口や排煙口あるいはケーブル口あるいは給水口あるいは空気口となる横穴を開けて、ケーシング内への供給用および連絡用および排出用の開口部とする。
外部へは、円形状の中空部５５を利用して繋ぐ。また、横に配置してトンネルの内壁あるいはトンネル用ケーシングとして利用可能である。それぞれの開口部および中空部は、特に、消火剤の送水通路として利用する。排気やケーブル類に利用する。コンクリートや吊り天井やケーブルラックなどの様に、緩んだり剥離したりして落下する危険を避ける可能性も期待できるという効果も推察できる。
【００９８】  従来では、中実鋼板をケーシングとし、支保工で安全を確保し、ケーシング内部において露出配管や露出ケーブルを上下に吊り下げていた。ケーシング内への資材搬入にはクレーンにて吊り下げ上げを行なっているが、各種ケーブルや支保工に当たりそうでとても危険である。しかしながら、本発明の単一単品の中空構造用鋼板を利用した土木用ケーシングおよび橋脚用型枠では、中空構造用鋼板３自体が強度的に強く支保工も少なく済む。その上、ケーブル類も中空部に収まるので、ケーシングの内部は整然とされて資材の搬入もスムーズに行える効果がある。そして、ケーシングとして使いながら、内部に配筋しながら、ケーシングを型枠として使え、そのうえ鉄筋コンクリートの橋脚の保護鋼板とも同時になる。保護鋼板として河川の中の橋脚部の保護にも同時に利用できる。
【００９９】  図３９は単一単品の中空構造用鋼板を利用した土木用ケーシングおよび橋脚用型枠の説明図である。前記図３６のより大規模の場合を示した。中空構造用鋼板３と中空構造用鋼板５を組合せて大規模にした。利用法および説明は前記に同様である。鋼板長さＬ４と鋼板長さＬ５の２段積みとして図示した。図４０は図３９の各部断面図である。
【０１００】  以上が、単一単品の中空構造用鋼板を利用した土木用ケーシングおよび橋脚用型枠の構造である。
【０１０１】  図４１は単一単品の中空構造用鋼板を利用した復水器隔壁および加熱炉用隔壁およびＬＮＧ気化装置用隔壁の斜視図である。図２５の単一単品の中空構造用鋼板２０１の中空部以外に中空部と交差する方向に複数の穴あけ加工を施した熱交換用隔壁の斜視図である。５５は構造用中空鋼板の円形状の中空部である。７１は中空部に流入する冷却水である。７２は複数の穴あけ加工した冷却すべき流体の通路である。７３は中空部より流出する冷却水である。７４は冷却されるべき流体の流入方向であり高圧高温側である。７５は冷却された流体の流出方向であり低圧低温側である。
【０１０２】  図４２は単一単品の中空構造用鋼板を利用した復水器隔壁および加熱炉用隔壁およびＬＮＧ気化装置用隔壁の全体説明図である。図２５の単一単品の中空構造用鋼板２０１を隔壁に使用する場合を示している。８０はタービン室連絡遮断バルブである。８１は高圧側安全バルブである。８２は減圧ポンプあるいは送風機遮断バルブである。８３は復水ポンプ遮断バルブである。８４は復水送水ポンプである。８５は減圧ポンプあるいは送風機である。８６は復水低圧室である。８７は復水高圧室である。８８は冷却用単一単品の継目無内面多分割構造用曲がり管Ｎ（Ｎ＝３）である。
【０１０３】  図４２は、熱交換用単一単品の中空構造用鋼板を高圧復水室と低圧復水室の隔壁に配備し復水を助長させる復水構造である。ならびに原子力発電所あるいは火力発電所に組み込まれた発電設備における復水設備の構造図である。８０はタービン室連絡遮断バルブであり、発電設備の発電タービン室の高温高圧蒸気が復水室に取り込まれる開閉遮断バルブである。８１は高圧側安全バルブであり、復水高圧室が安全圧力を超える場合に圧力解放のバルブである。８２は減圧ポンプあるいは送風機遮断バルブであり、８６の復水低圧室の圧力を下げる為に低圧室の復水しなかった蒸気を送り出すポンプや送風機である。８３は復水ポンプ遮断バルブ８４の復水送水ポンプの開閉遮断バルブである。８４は復水送水ポンプ８６の復水を送り出すポンプである。８５は減圧ポンプあるいは送風機である。８６は復水低圧室である。８７は復水高圧室である。８８は冷却用曲がり管Ｎ（Ｎ＝３）であり、冷却水が流入および流出して８７および８６の蒸気を冷却する冷却管である。また、内部隔壁部があるので管の内部を流れる冷却水へ伝熱フィンとして伝熱を行ないやすくなった効果が現れた。図１の（ア）および（イ）を参照の事。
【０１０４】図４３は単一単品の中空構造用鋼板を利用した復水器隔壁および加熱炉用隔壁およびＬＮＧ気化装置用隔壁の斜視図である。図３１の単一単品の中空構造用鋼板２０４を隔壁に使用する場合を示している。図４１との違いは、単一単品の中空構造用鋼板２０４は表裏表面に肉盛り部３０１を配備して、鋼板周囲雰囲気に触れる面積を拡大し熱交換を助長させた。それにともない、復水も増えると考察できる。および、構造用中空鋼板の円形状の中空部５５を円形状の内面を２分割した中空部５０に変更して、内部隔壁部を伝熱フィンとして利用し冷却水への伝熱を助長させた。
【０１０５】  図４４は単一単品の中空構造用鋼板を利用した復水器隔壁および加熱炉用隔壁およびＬＮＧ気化装置用隔壁の全体説明図である。図３１の単一単品の中空構造用鋼板２０４を隔壁に使用する場合を示している。その他は図４２の説明と同じである。表裏表面の肉盛り部および円形状の内面を２分割した中空部５０に変更した事により、復水効率が良くなると推察できるので８６内の水滴の個数を増やして強調しました。
【０１０６】  また、ＬＮＧ気化装置用隔壁および加熱炉用隔壁として使用する場合は、全体の流れが逆方向の流れとなる。つまり、ＬＮＧ気化装置では、８６のｓｉｄｅ  ｌｏｗｐｒｅｓ．がタンク側であり、８７のｓｉｄｅ  ｈｉｇｈｐｒｅｓ．側が消費者側の流れとなり、７１は中空部に流入する加熱水の大量の海水となる。また、バルブならびにポンプ類の向きも同様に変わる。そして、７４および７５の向きも上向きとなりＬＮＧがガス化して上方へ流れる。
【０１０７】  また、加熱炉用隔壁としての時には、８６のｓｉｄｅ  ｌｏｗｐｒｅｓ．が工業用バーナー側であり、８７のｓｉｄｅ  ｈｉｇｈｐｒｅｓ．側が煙突のドラフト側である。７１は中空部に流入する加熱されるべき流体や気体となる。
【０１０８】  以上が、単一単品の中空構造用鋼板を利用した復水器隔壁および加熱炉用隔壁およびＬＮＧ気化装置用隔壁の構造である。
【０１０９】  図４５は単一単品の継目無内面多分割偏肉厚構造用鋼管の斜視図である。図１５の単一単品の継目無内面多分割偏肉厚構造用鋼管１７の斜視図である。図４６は単一単品の継目無内面多分割偏肉厚構造用鋼管を利用したＣＦＴの構造の斜視図である。図４５の単一単品の継目無内面多分割偏肉厚構造用鋼管１７をＣＦＴ用の柱に利用した場合を示した。４１は主鉄筋であり、中空部５２に配筋される。その後に、中空部５２にコンクリートが充填されてＣＦＴ構造となる。４２は梁であり、柱１７の肉盛り部１５３に溶接される部分とその梁にボルトで連結される梁である。
【０１１０】  このときに、内部隔壁部が十字状に配備されており、さらに肉盛り部もあり梁４２より柱に確実に応力が伝わると推察できる。なおかつ、単一単品の継目無内面多分割偏肉厚構造用鋼管は柱の上端より下端に至る全長に内部隔壁が十字状に配備されて、鉄骨柱に苦手な応力の座屈応力にも効力を発揮する効果がある。
【０１１１】  以上が、単一単品の継目無内面多分割偏肉厚構造用鋼管を利用したＣＦＴの構造である。
【０１１２】  図４７は単一単品の継目無内面多分割偏肉厚構造用鋼管を利用した多層鉄骨造建築物の斜視図である。図１５および図１７を利用した場合を示した。図１５の単一単品の継目無内面多分割偏肉厚構造用鋼管１７を１階の柱に用いた。その上に、図１７の単一単品の継目無内面多分割偏肉厚構造用鋼管１８を２階の柱に用いた。４００は筋交である。なお、内部隔壁部が十字状に配備されており、さらに肉盛り部もあり梁４２より柱に確実に応力が伝わると推察できる。なおかつ、単一単品の継目無内面多分割偏肉厚構造用鋼管は柱の上端より下端に至る全長に内部隔壁が十字状に配備されて、鉄骨柱が苦手な応力の座屈応力にも効力を発揮するので鉄骨構造に最適であると推察できる。
【０１１３】  図４８は単一単品の継目無内面多分割偏肉厚構造用テーパー鋼管を利用した多層鉄骨造建築物の構造の斜視図である。図１２の単一単品の継目無内面多分割偏肉厚構造用テーパー鋼管１５を利用した場合を示している。梁との応力の伝達および座屈応力に対する効力は前記と同様である。そして、さらに、本テーパー鋼管柱は上に進むと、外径が小さくなることにともなって、単位長さあたりの柱自体の自重も少なくなる利点もある。
【０１１４】  以上が、単一単品の継目無内面多分割偏肉厚構造用テーパー鋼管を利用した多層鉄骨造建築物の構造である。
【０１１５】  図４９は単一単品の継目無内面多分割偏肉厚構造用テーパー鋼管を利用した信号柱ならびに標識柱の斜視図である。６１は単一単品の継目無内面多分割偏肉厚構造用テーパー鋼管１３の曲げ有りを示している。６２は照明器具取付け金具であり照明器具や標識を取り付ける部位である。６３および６８は管端蓋板であり管端を閉塞する板である。６５は地面側管端蓋板でありベースプレートとして利用する。６６は固定ボルト孔でありボルト固定やアンカーボルトでの固定される部位である。
【０１１６】  図５０は単一単品の継目無内面多分割偏肉厚構造用テーパー鋼管を利用した信号柱ならびに標識柱の斜視図である。組み立て用フランジ６７分割した場合を示した。輸送のために細かく分割する目的である。単一単品の継目無内面多分割偏肉厚構造用テーパー鋼管１３を利用した。主柱も腕木も１３を利用する。６２の取付け金具で信号機や大きな標識を取り付ける。
【０１１７】  図５１は単一単品の継目無内面多分割偏肉厚構造用テーパー鋼管を利用した信号柱ならびに標識柱の斜視図である。分割しない場合であり前記図５０の口径の小さな小型版である。
【０１１８】  図５２は単一単品の継目無内面多分割偏肉厚構造用テーパー鋼管を利用した電柱の斜視図である。６９はステップボルトあるいはステップ足場である。
【０１１９】  以上が、単一単品の継目無内面多分割偏肉厚構造用テーパー鋼管を利用した信号柱ならびに標識柱および電柱の構造である。
【符号の説明】
【０１２０】１      単一単品の継目無内面多分割構造用曲がり管Ｎ
２      内部隔壁部
３      複数の円形状の中空部を有する湾曲断面（９０度）をした単一単品の構造用中空        鋼板
４      複数の矩形状の中空部を有する湾曲断面（４５度）をした単一単品の構造用中空        鋼板
５      複数の円形状の中空部を有する矩形断面をした単一単品の構造用中空鋼板
６      複数の矩形状の中空部を有する矩形断面をした単一単品の構造用中空鋼板
１０    単一単品の継目無内面多分割偏肉厚構造用中空部スクロール鋼管
１１    単一単品の継目無内面多分割偏肉厚構造用中空部スクロール鋼管
１２    単一単品の継目無内面多分割偏肉厚構造用テーパー鋼管
１３    単一単品の継目無内面多分割偏肉厚構造用テーパー鋼管
１５    単一単品の継目無内面多分割偏肉厚構造用テーパー鋼管
１７    単一単品の継目無内面多分割偏肉厚構造用鋼管
１８    単一単品の継目無内面多分割偏肉厚構造用鋼管
１９    単一単品の継目無内面多分割偏肉厚構造用鋼管
２０    単一単品の継目無内面多分割偏肉厚構造用鋼管
３０    軸流プロペラ
４１    主鉄筋
４２    梁
５０    円形状の内面を２分割した中空部
５１    円形状の内面を４分割した中空部
５２    矩形状の内面を４分割した中空部
５３    矩形状の内面を２分割した中空部
５４    構造用中空鋼板の矩形状の中空部
５５    構造用中空鋼板の円形状の中空部
６１    単一単品の継目無内面多分割偏肉厚構造用テーパー鋼管  曲げ有り
６２    照明器具取付け金具
６３    管端蓋板
６５    地面側管端蓋板
６６    固定ボルト孔
６７    組み立て用フランジ
６８    管端蓋板
６９    ステップボルトあるいはステップ足場
７１    中空部に流入する冷却水
７２    複数の穴あけ加工した冷却すべき流体の通路
７３    中空部より流出する冷却水
７４    冷却されるべき流体の流入方向であり高圧高温側
７５    冷却された流体の流出方向であり低圧低温側
８０    タービン室連絡遮断バルブ
８１    高圧側安全バルブ
８２    減圧ポンプあるいは送風機遮断バルブ
８３    復水ポンプ遮断バルブ
８４    復水送水ポンプ
８５    減圧ポンプあるいは送風機
８６    復水低圧室
８７    復水高圧室
８８    冷却用単一単品の継目無内面多分割構造用曲がり管Ｎ  （Ｎ＝３）
１０１  分割中空部軸芯
１０２  分割中空部軸芯
１０３  分割中空部軸芯
１０４  分割中空部軸芯
１０５  分割中空部軸芯
１２０  中空鋼板の分割中空部軸芯
１２１  中空鋼板の分割中空部軸芯
１２２  中空鋼板の分割中空部軸芯
１２３  中空鋼板の分割中空部軸芯
１５０  肉盛り部
１５１  肉盛り部
１５２  肉盛り部
１５３  肉盛り部
１５４  肉盛り部
１５５  肉盛り部
１５６  肉盛り部
２００  単一単品の中空構造用鋼板
２０１  単一単品の中空構造用鋼板
２０２  単一単品の中空構造用鋼板
２０３  単一単品の中空構造用鋼板
２０４  単一単品の中空構造用鋼板
３００  鋼板表裏面の肉盛り部
３０１  鋼板表裏面の肉盛り部
４００  筋交
４０１  軸受取付け部
４０２  駆動歯車部
５００  底板
Ｔ１    肉盛り厚
Ｔ２    肉盛り厚
Ｔ３    管体肉厚
Ｔ４    内部隔壁肉厚
Ｔ５    管体肉厚
Ｔ６    内部隔壁肉厚
Ｔ７    内部隔壁肉厚
Ｔ８    内部隔壁肉厚
Ｔ９    内部隔壁肉厚
Ｔ１０  表側鋼板肉厚
Ｔ１１  裏側側鋼板肉厚
Ｄ１    小径側外径
Ｄ２    大径側外径
Ｄ３    小径側外径
Ｄ４    大径側外径
Ｄ５    小径側角柱外径
Ｄ６    大径側角柱外径
Ｌ１    鋼板長さＬ１
Ｌ２    鋼板長さＬ２
Ｌ３    鋼板長さＬ３
Ｌ４    鋼板長さＬ４
Ｌ５    鋼板長さＬ５
α１    管軸芯と分割中空部軸芯の傾き角度
α２    管軸芯と分割中空部軸芯の傾き角度
α５    中空鋼板の湾曲角度
【図１】
2017120115.tif 000003
【図２】
2017120115.tif 000004
【図３】
2017120115.tif 000005
【図４】
2017120115.tif 000006
【図５】
2017120115.tif 000007
【図６】
2017120115.tif 000008
【図７】
2017120115.tif 000009
【図８】
2017120115.tif 000010
【図９】
2017120115.tif 000011
【図１０】
2017120115.tif 000012
【図１１】
2017120115.tif 000013
【図１２】
2017120115.tif 000014
【図１３】
2017120115.tif 000015
【図１４】
2017120115.tif 000016
【図１５】
2017120115.tif 000017
【図１６】
2017120115.tif 000018
【図１７】
2017120115.tif 000019
【図１８】
2017120115.tif 000020
【図１９】
2017120115.tif 000021
【図２０】
2017120115.tif 000022
【図２１】
2017120115.tif 000023
【図２２】
2017120115.tif 000024
【図２３】
2017120115.tif 000025
【図２４】
2017120115.tif 000026
【図２５】
2017120115.tif 000027
【図２６】
2017120115.tif 000028
【図２７】
2017120115.tif 000029
【図２８】
2017120115.tif 000030
【図２９】
2017120115.tif 000031
【図３０】
2017120115.tif 000032
【図３１】
2017120115.tif 000033
【図３２】
2017120115.tif 000034
【図３３】
2017120115.tif 000035
【図３４】
2017120115.tif 000036
【図３５】
2017120115.tif 000037
【図３６】
2017120115.tif 000038
【図３７】
2017120115.tif 000039
【図３８】
2017120115.tif 000040
【図３９】
2017120115.tif 000041
【図４０】
2017120115.tif 000042
【図４１】
2017120115.tif 000043
【図４２】
2017120115.tif 000044
【図４３】
2017120115.tif 000045
【図４４】
2017120115.tif 000046
【図４５】
2017120115.tif 000047
【図４６】
2017120115.tif 000048
【図４７】
2017120115.tif 000049
【図４８】
2017120115.tif 000050
【図４９】
2017120115.tif 000051
【図５０】
2017120115.tif 000052
【図５１】
2017120115.tif 000053
【図５２】
2017120115.tif 000054